(57)【要約】【課題】地上デジタルテレビ放送に対する受信性能を向上することが可能な技術を提供する。【解決手段】地上デジタルテレビ放送を受信する車載用の受信機１で使用されるアンテナ装置２には、アンテナ２０と、同軸ケーブル２１と、接地回路２２と、制御回路２３とが設けられている。同軸ケーブル２１は、アンテナ２０に接続された信号線と、信号線との間に誘電体２１１を挟んで信号線を取り囲むシールド線とを有し、アンテナ２０で受信される放送信号を伝達する。接地回路２２は、シールド線のアンテナ２０側の端部に一方端が接続され、他方端が開放端である接地用導電路を有し、当該接地用導電路の長さを変化させることが可能である。制御回路２３は、受信機１での受信チャネルに応じて接地回路２２に接地用導電路の長さを変化させる。【選択図】図１
2010087756.tif 000002
【特許請求の範囲】
【請求項１】
地上デジタルテレビ放送を受信する車載用受信機で使用されるアンテナ装置であって、
アンテナと、
前記アンテナに接続された信号線と、前記信号線との間に誘電体を挟んで前記信号線を取り囲むシールド線とを有し、前記アンテナで受信される放送信号を伝達する同軸ケーブルと、
前記シールド線を高周波的に接地する接地回路と、
前記接地回路の動作を制御する制御回路と
を備え、
前記接地回路は、前記シールド線のアンテナ側の端部に一方端が接続され、他方端が開放端である接地用導電路を有し、前記接地用導電路の長さを変化させることが可能であって、
前記制御回路は、前記車載用受信機での受信チャネルに応じて前記接地回路に前記接地用導電路の長さを変化させる、車載用アンテナ装置。
【請求項２】
請求項１に記載の車載用アンテナ装置であって、
前記接地回路は、前記シールド線のアンテナ側の端部に接続された第１導体と、互いに長さの異なる複数の第２導体とを有し、前記複数の第２導体の間において前記第１導体に接続する導体を切り替えることによって、前記接地用導電路の長さを変化させる、車載用アンテナ装置。
【請求項３】
請求項１に記載の車載用アンテナ装置であって、
前記接地回路は、複数の導体を有し、前記複数の導体において前記シールド線のアンテナ側の端部に直列接続する導体の数を変化させることによって、前記接地用導電路の長さを変化させる、車載用アンテナ装置。
【請求項４】
地上デジタルテレビ放送を受信する車載用受信機であって、
請求項１乃至請求項３のいずれか一つに記載のアンテナ装置と、
前記アンテナ装置で受信された前記放送信号から、指定された受信チャネルの信号を取り出す受信回路と
を備える、車載用受信機。
【発明の詳細な説明】
【技術分野】
【０００１】
本発明は、地上デジタルテレビ放送を受信する車載用アンテナ装置と当該車載用アンテナ装置を備える受信機とに関する。
【背景技術】
【０００２】
従来から車載用のアンテナに関して様々な技術が提案されている。例えば特許文献１では、低ノイズ、量産の際の感度のばらつきが少ない自動車用ガラスアンテナが提案されている。また特許文献２では、アンテナの性能を損なうことなく取り付けの容易なアース構造が提案されている。
【０００３】
【特許文献１】特開２０００−１８３６２５号公報
【特許文献２】特開平９−３０７３３４号公報
【発明の開示】
【発明が解決しようとする課題】
【０００４】
上述の特許文献２の技術においては、アンテナからの受信信号を伝達するフィーダ線のアース線（シールド線）に対して、一方端が開放端である導体の他方端を接続することによって、当該アース線を高周波的に接地している。このため、アース線を接地するために当該アース線を車体の金属部分に接続する必要が無くなり、アース線を容易に接地することが可能となる。
【０００５】
しかしながら、地上デジタルテレビ放送のように、使用する周波数帯域が広い場合には、特許文献２のような接地方法では、アース線を接地するための導体について、周波数帯域の全領域においてアース線の電位を十分に小さくすることが可能な長さを選択することは困難であり、全チャネルにわたって信号を適切に受信することができず、受信性能を向上できない。
【０００６】
そこで、本発明は上述の点に鑑みて成されたものであり、地上デジタルテレビ放送に対する受信性能を向上することが可能な技術を提供することを目的とする。
【課題を解決するための手段】
【０００７】
上記課題を解決するため、請求項１の発明は、地上デジタルテレビ放送を受信する車載用受信機で使用されるアンテナ装置であって、アンテナと、前記アンテナに接続された信号線と、前記信号線との間に誘電体を挟んで前記信号線を取り囲むシールド線とを有し、前記アンテナで受信される放送信号を伝達する同軸ケーブルと、前記シールド線を高周波的に接地する接地回路と、前記接地回路の動作を制御する制御回路とを備え、前記接地回路は、前記シールド線のアンテナ側の端部に一方端が接続され、他方端が開放端である接地用導電路を有し、前記接地用導電路の長さを変化させることが可能であって、前記制御回路は、前記車載用受信機での受信チャネルに応じて前記接地回路に前記接地用導電路の長さを変化させる。
【０００８】
また、請求項２の発明は、請求項１の発明に係る車載用アンテナ装置であって、前記接地回路は、前記シールド線のアンテナ側の端部に接続された第１導体と、互いに長さの異なる複数の第２導体とを有し、前記複数の第２導体の間において前記第１導体に接続する導体を切り替えることによって、前記接地用導電路の長さを変化させる。
【０００９】
また、請求項３の発明は、請求項１の発明に係る車載用アンテナ装置であって、前記接地回路は、複数の導体を有し、前記複数の導体において前記シールド線のアンテナ側の端部に直列接続する導体の数を変化させることによって、前記接地用導電路の長さを変化させる。
【００１０】
また、請求項４の発明は、地上デジタルテレビ放送を受信する車載用受信機であって、請求項１乃至請求項３のいずれか一つに係る発明のアンテナ装置と、前記アンテナ装置で受信された前記放送信号から、指定された受信チャネルの信号を取り出す受信回路とを備える。
【発明の効果】
【００１１】
請求項１乃至請求項４の発明によれば、同軸ケーブルにおけるシールド線のアンテナ側の端部に一方端が接続され、他方端が開放端である接地用導電路の長さが受信チャネルに応じて変化するため、同軸ケーブルにおけるシールド線のアンテナ側の端部でのインピーダンスを受信チャネルに応じて十分に小さくすることができる。したがって、地上デジタルテレビ放送の全チャネルにわたってシールド線のアンテナ側の端部を適切に接地することができる。よって、地上デジタルテレビ放送で利用される広い周波数帯域の全領域において放送信号に対する受信性能を向上することができる。
【００１２】
さらに、シールド線を車体の金属部分に接続して接地する必要が無いため、接地回路の配置の自由度が向上し、アンテナに近い場所でシールド線のアンテナ側の端部を接地することができる。よって、受信性能をさらに向上することができる。
【発明を実施するための最良の形態】
【００１３】
図１は本発明の実施の形態に係る受信機１の構成を示す図である。本実施の形態に係る受信機１は、自動車等の車両に搭載される車両用受信機であって、地上デジタルテレビ放送を受信することが可能である。
【００１４】
図１に示されるように、本実施の形態に係る受信機１は、地上デジタルテレビ放送を受信するアンテナ装置２と、アンテナ装置２が受信した放送信号を増幅する増幅器３と、増幅器３で増幅された放送信号から所望のチャネルの信号を取り出して、当該信号に含まれる映像信号及び音声信号を取得する受信回路４とを備えている。増幅器３と受信回路４とは同軸ケーブル５で接続されており、増幅器３で増幅された放送信号は同軸ケーブル５によって受信回路４に伝達される。
【００１５】
アンテナ装置２は、アンテナ２０と、アンテナ２０で受信された放送信号を増幅器３に伝達する同軸ケーブル２１と、同軸ケーブル２１のシールド線を高周波的に接地する接地回路２２と、接地回路２２の動作を制御する制御回路２３とを備えている。
【００１６】
アンテナ２０は、例えば、自動車のリアガラス６上に導体パターンにより形成されている。アンテナ２０の一方端には電極端子２４が接続されている。電極端子２４は、例えばリアガラス６にろう付けされている。電極端子２４には、同軸ケーブル２１の信号線が接続されている。
【００１７】
図２は同軸ケーブル２１における長さ方向に垂直な方向での断面構造を示す図である。図２に示されるように、同軸ケーブル２１は、信号線としての中心導体２１０と、誘電体２１１と、シールド線としての外部導体２１２と、保護被覆材２１３とを備えている。誘電体２１１は、中心導体２１０を同心円状に取り囲んでいる。外部導体２１２は、例えば編組導体であって、誘電体２１１を同心円状に取り囲んでいる。そして、保護被覆材２１３は、外部導体２１２を同心円状に取り囲んでいる。
【００１８】
ここで、本願発明では、同軸ケーブルのシールド線とは、外部導体のうち、中心導体との間に誘電体を挟んで中心導体を取り囲んでいる部分を言う。したがって、外部導体の端部をある箇所に半田等で接続するために、当該端部を保護被覆材から露出させ、当該端部を縒って細長く外側に引き出したような場合には、当該端部はシールド線の一部とは言わない。また、外部導体の端部が、保護被覆材から露出していたとしても、当該端部が中心導体との間に誘電体を挟んで中心導体を取り囲んでいれば、当該端部はシールド線の一部である。なお、中心導体に関しては、シールド線に取り囲まれているか否かを問わず信号線とする。
【００１９】
同軸ケーブル２１の中心導体２１０の一方の端部は、保護被覆材２１３、外部導体２１２及び誘電体２１１から露出しており、リアガラス６にろう付けされた電極端子２４に接続されている。つまり、同軸ケーブル２１の信号線の一方の端部は、電極端子２４を通じてアンテナ２０に接続されている。
【００２０】
受信回路４は、例えば車両の前方部分に配置されている。受信回路４は、ユーザによって指定された受信チャネルの信号を放送信号から取り出すチューナー回路４０を有している。受信回路４では、チューナー回路４０によって取り出された、受信チャネルの信号に対して復号化処理や誤り訂正処理等が行われて、受信チャネルの映像信号及び音声信号が取得される。なお、ユーザーは、車両の前方部分に設けられた操作パネルを操作することによって受信回路４での受信チャネルを指定することができる。
【００２１】
また、チューナー回路４０は、ユーザによって指定された受信チャネルを特定するための受信チャネル情報ＣＩを制御回路２３に出力する。制御回路２３は、受信チャネル情報ＣＩに基づいて制御信号ＣＳを生成し、それを接地回路２２に出力する。接地回路２２は制御信号ＣＳに基づいて動作を行う。これにより、接地回路２２は、制御回路２３による制御によって、受信チャネルに応じた動作を行うようになる。
【００２２】
接地回路２２は、同軸ケーブル２１におけるシールド線のアンテナ２０側の端部に一方端が接続され、他方端が開放端である接地用導電路を有している。この接地用導電路は、高周波回路での整合回路に使用されるオープンスタブと同様の効果を有している。つまり、開放端を有する接地用導電路では、シールド線のアンテナ２０側の端部に接続された一端でのインピーダンスが、当該接地用導電路の長さに応じた周波数で理論的には零となる。したがって、シールド線のアンテナ２０側の端部を特定の周波数で接地することができる。そして、接地回路２２は、接地用導電路の長さを変化させることによって、シールド線のアンテナ２０側の端部に接続された一端でのインピーダンスが理論的に零になる周波数を変化させることが可能である。
【００２３】
制御回路２３は、制御信号ＣＳを利用して、受信チャネル情報ＣＩで特定される受信チャネルに応じて接地回路２２での接地用導電路の長さを変化させることができる。これにより、受信回路４での受信チャネルに応じて、接地用導電路のシールド線側の一端でのインピーダンスが理論的に零になる周波数、つまりシールド線のアンテナ２０側の端部での接地対象の信号の周波数を変化させることができる。その結果、地上デジタルテレビ放送の全チャネルにわたってシールド線のアンテナ側の端部を適切に接地することができ、地上デジタルテレビ放送で利用される広い周波数帯域の全領域において放送信号に対する受信性能を向上することができる。
【００２４】
接地回路２２及び制御回路２３は、例えば、一つのケース内に収納され、リアガラス６上あるいはリアガラス６の近傍の車体に固定配置される。接地回路２２及び制御回路２３は同一のプリント基板に形成しても良いし、別々のプリント基板に形成しても良い。
【００２５】
次に、接地回路２２の具体的な構成例について説明する。
【００２６】
＜接地回路の第１の構成例＞
図３は接地回路２２の第１の構成例を示す図である。第１の構成例に係る接地回路２２では、接地用導電路の長さを２種類の間で変化させることができる。図３に示されるように、第１の構成例に係る接地回路２２は、第１導体２２０ａと、長さの異なる２本の第２導体２２１ａ，２２２ａと、選択回路２２３ａとを備えている。第１導体２２０ａ及び第２導体２２１ａ，２２２ａのそれぞれは、例えば銅線で構成されている。
【００２７】
同軸ケーブル２１におけるシールド線２１２ａのアンテナ２０側の端部２１２ａａは、保護被覆材２１３から露出しており、第１導体２２０ａの一方端は、その露出している端部２１２ａａに接続されている。第１導体２２０ａの他方端は、選択回路２２３ａに接続されている。第１導体２２０ａは、同軸ケーブル２１の外部導体２１２のアンテナ２０側の端部を縒って得られる細長い導体部分だけで構成しても良いし、当該細長い導体部分に別の導体を接続して構成しても良い。また、第１導体２２０ａは、外部導体２１２とは別の導体だけで構成しても良い。第１導体２２０ａが、外部導体２１２の一部を含む場合には、第１導体２２０ａとシールド線２１２ａとは繋ぎ目がなく接続されていることになる。
【００２８】
第２導体２２２ａは第２導体２２１ａよりも長くなっている。第２導体２２１ａ，２２２ａのそれぞれでは、一方端が選択回路２２３ａに接続されており、他方端が開放端となっている。選択回路２２３ａは、制御回路２３からの制御信号ＣＳに従って第２導体２２１ａ，２２２ａのどちらか一方を選択し、選択した導体の一方端を第１導体２２０ａの他方端に接続する。第１導体２２０ａと第２導体２２１ａとが接続されている場合には、第１導体２２０ａのシールド線２１２ａ側の一端から第２導体２２１ａの開放端までの導電路が接地用導電路となる。一方で、第１導体２２０ａと第２導体２２２ａとが接続されている場合には、第１導体２２０ａのシールド線２１２ａ側の一端から第２導体２２２ａの開放端までの導電路が接地用導電路となる。接地回路２２では、このような構成により、制御信号ＣＳに従って接地用導電路の長さが変化し、接地用導電路における、シールド線２１２ａのアンテナ２０側の端部２１２ａａに接続された一端でのインピーダンスが零になる周波数が変化する。
【００２９】
ここで、地上デジタルテレビ放送では、４７０ＭＨｚから７７０ＭＨｚまでの周波数帯域が利用されている。接地回路２２を図３のように構成する場合には、地上デジタルテレビ放送で利用されている周波数帯域を２つの部分帯域に分割する。例えば、４７０ＭＨｚ以上６２０ＭＨｚ未満の低域部分帯域と、６２０ＭＨｚ以上７７０ＭＨｚ以下の高域部分帯域とに分割する。そして、長い方の第２導体２２２ａが第１導体２２０ａに接続された場合において、第１導体２２０ａのシールド線２１２ａ側の一端のインピーダンスが低域部分帯域において小さくなるように、第１導体２２０ａのシールド線２１２ａ側の一端から第２導体２２２ａの開放端までの導電路の長さＬ２ａを設定する。具体的には、長さＬ２ａを、１２ｃｍよりも大きく１６ｃｍ以下に設定する。周波数が４７０ＭＨｚの高周波信号についてのλ／４は約１６ｃｍとなり、周波数が６２０ＭＨｚの高周波信号についてのλ／４は約１２ｃｍとなる。ここで、λは波長を意味している。したがって、長さＬ２ａを１２ｃｍより大きく１６ｃｍ以下に設定することによって、第１導体２２０ａのシールド線２１２ａ側の一端から第２導体２２２ａの開放端までの導電路から成る接地用導電路のシールド線２１２ａ側の一端でのインピーダンスを、低域部分帯域において十分に小さくすることができる。
【００３０】
また、短い方の第２導体２２１ａが第１導体２２０ａに接続された場合において、第１導体２２０ａのシールド線２１２ａ側の一端のインピーダンスが高域部分帯域において小さくなるように、第１導体２２０ａのシールド線２１２ａ側の一端から第２導体２２１ａの開放端までの導電路の長さＬ１ａを設定する。具体的には、長さＬ１ａを、１０ｃｍ以上１２ｃｍ以下に設定する。周波数が７７０ＭＨｚの高周波信号についてのλ／４は約１０ｃｍとなり、周波数が６２０ＭＨｚの高周波信号についてのλ／４は約１２ｃｍとなる。したがって、長さＬ１ａを１０ｃｍ以上１２ｃｍ以下に設定することによって、第１導体２２０ａのシールド線２１２ａ側の一端から第２導体２２１ａの開放端までの導電路から成る接地用導電路のシールド線２１２ａ側の一端でのインピーダンスを、高域部分帯域において十分に小さくすることができる。
【００３１】
以上のような構成を有する接地回路２２の動作を制御回路２３が制御する場合には、制御回路２３は、受信チャネル情報ＣＩによって特定される受信チャネルの周波数帯域が低域部分帯域及び高域部分帯域のどちらに属するかを判定する。そして、制御回路２３は、受信チャネルの周波数帯域が低域部分帯域に属する場合には、接地回路２２において第２導体２２２ａが第１導体２２０ａに接続されるような制御信号ＣＳを生成して出力し、受信チャネルの周波数帯域が高域部分帯域に属する場合には、接地回路２２において導体２２１ａが第１導体２２０ａに接続されるような制御信号ＣＳを生成して出力する。これにより、接地回路２２では、受信チャネルに応じて接地用導電路の長さが変化し、その結果、接地用導電路のシールド線２１２ａ側の一端のインピーダンスが理論的に零になる周波数が受信チャネルに応じて変化する。よって、全チャネルにわたってシールド線２１２ａの端部２１２ａａを適切に接地することができ、地上デジタルテレビ放送に対する受信性能が向上する。
【００３２】
なお、第１導体２２０ａと第２導体２２２ａとが接続された場合において、第１導体２２０ａのシールド線２１２ａ側の一端から第２導体２２２ａの選択回路２２３ａ側の一端までの導電路の長さが十分に短く、当該長さが第１導体２２０ａのシールド線２１２ａ側の一端でのインピーダンスにほとんど影響を与えない場合には、第２導体２２２ａの長さを１２ｃｍより大きく１６ｃｍ以下に設定することによって、接地用導電路のシールド線２１２ａ側の一端のインピーダンスを、低域部分帯域において十分に小さくすることができる。
【００３３】
また、第１導体２２０ａと第２導体２２１ａとが接続された場合において、第１導体２２０ａのシールド線２１２ａ側の一端から第２導体２２１ａの選択回路２２３ａ側の一端までの導電路の長さが十分に短い場合には、第２導体２２１ａの長さを１０ｃｍ以上１２ｃｍ以下に設定することによって、接地用導電路のシールド線２１２ａ側の一端のインピーダンスを、高域部分帯域において十分に小さくすることができる。
【００３４】
＜接地回路の第２の構成例＞
図４は接地回路２２の第２の構成例を示す図である。第２の構成例に係る接地回路２２では、接地用導電路の長さを３種類の間で変化させることができる。図４に示されるように、第２の構成例に係る接地回路２２は、第１導体２２０ｂと、長さの異なる３本の第２導体２２１ｂ，２２２ｂ，２２３ｂと、選択回路２２４ｂを備えている。第１導体２２０ｂ及び第２導体２２１ｂ，２２２ｂ，２２３ｂのそれぞれは、例えば銅線で構成されている。
【００３５】
第１導体２２０ｂの一方端は、同軸ケーブル２１におけるシールド線２１２ａのアンテナ２０側の露出している端部２１２ａａに接続されており、第１導体２２０ｂの他方端は、選択回路２２４ｂに接続されている。第１導体２２０ｂは、上述の第１導体２２０ａと同様に、同軸ケーブル２１の外部導体２１２のアンテナ２０側の端部を縒って得られる細長い導体部分だけで構成しても良いし、当該細長い導体部分に別の導体を接続して構成しても良いし、外部導体２１２とは別の導体だけで構成しても良い。
【００３６】
第２導体２２３ｂ、第２導体２２２ｂ及び第２導体２２１ｂの長さは、この順で大きくなっている。第２導体２２１ｂ，２２２ｂ，２２３ｂのそれぞれでは、一方端が選択回路２２４ｂに接続されており、他方端が開放端となっている。選択回路２２４ｂは、制御回路２３からの制御信号ＣＳに従って３本の第２導体２２１ｂ，２２２ｂ，２２３ｂのいずれか一つを選択し、選択した導体の一方端を第１導体２２０ｂの他方端に接続する。
【００３７】
第１導体２２０ｂと第２導体２２１ｂとが接続されている場合には、第１導体２２０ｂのシールド線２１２ａ側の一端から第２導体２２１ｂの開放端までの導電路が接地用導電路となる。また、第１導体２２０ｂと第２導体２２２ｂとが接続されている場合には、第１導体２２０ｂのシールド線２１２ａ側の一端から第２導体２２２ｂの開放端までの導電路が接地用導電路となる。そして、第１導体２２０ｂと第２導体２２３ｂとが接続されている場合には、第１導体２２０ｂのシールド線２１２ａ側の一端から第２導体２２３ｂの開放端までの導電路が接地用導電路となる。接地回路２２では、このような構成により、制御信号ＣＳに従って接地用導電路の長さが変化し、接地用導電路におけるシールド線２１２ａ側の一端でのインピーダンスが零になる周波数が変化する。
【００３８】
接地回路２２を図４のように構成する場合には、地上デジタルテレビ放送で利用されている周波数帯域を３つの部分帯域に分割する。例えば、４７０ＭＨｚ以上５７０ＭＨｚ未満の低域部分帯域と、５７０ＭＨｚ以上６７０ＭＨｚ未満の中域部分帯域と、６７０ＭＨｚ以上７７０ＭＨｚ以下の高域部分帯域とに分割する。そして、一番長い第２導体２２３ｂが第１導体２２０ｂに接続された場合において、第１導体２２０ｂのシールド線２１２ａ側の一端のインピーダンスが低域部分帯域において小さくなるように、第１導体２２０ｂのシールド線２１２ａ側の一端から第２導体２２３ｂの開放端までの導電路の長さＬ３ｂを設定する。具体的には、長さＬ３ｂを、１３ｃｍよりも大きく１６ｃｍ以下に設定する。周波数が４７０ＭＨｚの高周波信号についてのλ／４は約１６ｃｍとなり、周波数が５７０ＭＨｚの高周波信号についてのλ／４は約１３ｃｍとなる。したがって、長さＬ３ｂを１３ｃｍより大きく１６ｃｍ以下に設定することによって、第１導体２２０ｂのシールド線２１２ａ側の一端から第２導体２２３ｂの開放端までの導電路から成る接地用導電路のシールド線２１２ａ側の一端でのインピーダンスを、低域部分帯域において十分に小さくすることができる。
【００３９】
また、２番目に長い導体２２２ｂが第１導体２２０ｂに接続された場合において、第１導体２２０ｂのシールド線２１２ａ側の一端のインピーダンスが中域部分帯域において小さくなるように、第１導体２２０ｂのシールド線２１２ａ側の一端から第２導体２２２ｂの開放端までの導電路の長さＬ２ｂを設定する。具体的には、長さＬ２ｂを、１１ｃｍよりも大きく１３ｃｍ以下に設定する。周波数が６７０ＭＨｚの高周波信号についてのλ／４は約１１ｃｍとなり、周波数が５７０ＭＨｚの高周波信号についてのλ／４は約１３ｃｍとなる。したがって、長さＬ２ｂを１１ｃｍよりも大きく１３ｃｍ以下に設定することによって、第１導体２２０ｂのシールド線２１２ａ側の一端から第２導体２２２ｂの開放端までの導電路から成る接地用導電路のシールド線２１２ａ側の一端のインピーダンスを、中域部分帯域において十分に小さくすることができる。
【００４０】
そして、最も短い導体２２１ｂが第１導体２２０ｂに接続された場合において、第１導体２２０ｂのシールド線２１２ａ側の一端のインピーダンスが高域部分帯域において小さくなるように、第１導体２２０ｂのシールド線２１２ａ側の一端から第２導体２２１ｂの開放端までの導電路の長さＬ１ｂを設定する。具体的には、長さＬ１ｂを、１０ｃｍ以上１１ｃｍ以下に設定する。周波数が７７０ＭＨｚの高周波信号についてのλ／４は約１０ｃｍとなり、周波数が６７０ＭＨｚの高周波信号についてのλ／４は約１１ｃｍとなる。したがって、長さＬ１ｂを１０ｃｍ以上１１ｃｍ以下に設定することによって、第１導体２２０ｂのシールド線２１２ａ側の一端から第２導体２２１ｂの開放端までの導電路から成る接地用導電路のシールド線２１２ａ側の一端のインピーダンスを、高域部分帯域において十分に小さくすることができる。
【００４１】
以上のような構成を有する接地回路２２の動作を制御回路２３が制御する場合には、制御回路２３は、受信チャネル情報ＣＩによって特定される受信チャネルの周波数帯域が、低域部分帯域、中域部分帯域及び高域部分帯域のどの部分帯域に属するかを判定する。そして、制御回路２３は、受信チャネルの周波数帯域が低域部分帯域に属する場合には、接地回路２２において第２導体２２３ｂが第１導体２２０ｂに接続されるような制御信号ＣＳを生成して出力し、受信チャネルの周波数帯域が中域部分帯域に属する場合には、接地回路２２において第２導体２２２ｂが第１導体２２０ｂに接続されるような制御信号ＣＳを生成して出力し、受信チャネルの周波数帯域が高域部分帯域に属する場合には、接地回路２２において第２導体２２１ｂが第１導体２２０ｂに接続されるような制御信号ＣＳを生成して出力する。これにより、接地回路２２では、受信チャネルに応じて接地用導電路の長さが変化し、その結果、接地用導電路のシールド線２１２ａ側の一端のインピーダンスが理論的に零になる周波数が受信チャネルに応じて変化する。よって、全チャネルにわたってシールド線２１２ａの端部２１２ａａを適切に接地することができ、地上デジタルテレビ放送に対する受信性能が向上する。
【００４２】
なお、第１の構成例と同様に、第１導体２２０ｂと第２導体２２３ｂとが接続された場合において、第１導体２２０ｂのシールド線２１２ａ側の一端から第２導体２２３ｂの選択回路２２４ｂ側の一端までの導電路の長さが十分に短く、当該長さが第１導体２２０ｂのシールド線２１２ａ側の一端でのインピーダンスにほとんど影響を与えない場合には、第２導体２２３ｂの長さを１３ｃｍより大きく１６ｃｍ以下に設定することによって、接地用導電路のシールド線２１２ａ側の一端のインピーダンスを、低域部分帯域において十分に小さくすることができる。
【００４３】
また、第１導体２２０ｂと第２導体２２２ｂとが接続された場合において、第１導体２２０ｂのシールド線２１２ａ側の一端から第２導体２２２ｂの選択回路２２４ｂ側の一端までの導電路の長さが十分に短い場合には、第２導体２２２ｂの長さを１１ｃｍより大きく１３ｃｍ以下に設定することによって、接地用導電路のシールド線２１２ａ側の一端のインピーダンスを、中域部分帯域において十分に小さくすることができる。
【００４４】
そして、第１導体２２０ｂと第２導体２２１ｂとが接続された場合において、第１導体２２０ｂのシールド線２１２ａ側の一端から第２導体２２１ｂの選択回路２２４ｂ側の一端までの導電路の長さが十分に短い場合には、第２導体２２１ｂの長さを１０ｃｍ以上１１ｃｍ以下に設定することによって、接地用導電路のシールド線２１２ａ側の一端のインピーダンスを、高域部分帯域において十分に小さくすることができる。
【００４５】
＜接地回路の第３の構成例＞
図５は接地回路２２の第３の構成例を示す図である。上述の第１及び第２の構成例では、互いに長さの異なる複数の第２導体の間において、シールド線２１２ａの端部２１２ａａに接続された第１導体に接続する導体を切り替えることによって、接地用導電路の長さを変化させていたが、図５に示される第３の構成例及び後述の第４の構成例に係る接地回路２２では、複数の導体においてシールド線２１２ａの端部２１２ａａに直列接続する導体の数を変化させることによって、接地用導電路の長さを変化させている。図５に示される接地回路２２では、第１の構成例と同様に、接地用導電路の長さを２種類の間で変化させることができる。
【００４６】
図５に示されるように、第３の構成例に係る接地回路２２は、２本の導体２２０ｃ，２２１ｃと、スイッチ回路２２２ｃとを備えている。導体２２０ｃ，２２１ｃのそれぞれは、例えば銅線で構成されている。導体２２０ｃでは、一方端がシールド線２１２ａのアンテナ２０側の端部２１２ａａに接続されており、他方端がスイッチ回路２２２ｃの一方端に接続されている。導体２２０ｃは、上述の第１導体２２０ａ，２２０ｂと同様に、同軸ケーブル２１の外部導体２１２のアンテナ２０側の端部を縒って得られる細長い導体部分だけで構成しても良いし、当該細長い導体部分に別の導体を接続して構成しても良いし、外部導体２１２とは別の導体だけで構成しても良い。
【００４７】
導体２２１ｃでは、一方端がスイッチ回路２２２ｃの他方端に接続されており、他方端が開放端となっている。スイッチ回路２２２ｃは、制御回路２３からの制御信号ＣＳに従ってオン状態及びオフ状態を切り替えて、導体２２０ｃの他方端と導体２２１ｃの一方端との接続及び未接続を切り替える。スイッチ回路２２２ｃがオフ状態であり、導体２２０ｃだけがシールド線２１２ａの端部２１２ａａに接続されている場合には、当該導体２２０ｃが接地用導電路となる。一方で、スイッチ回路２２２ｃがオン状態となって、導体２２０ｃと導体２２１ｃとが接続された場合には、導体２２０ｃの一方端から導体２２１ｃの開放端までの導電路が接地用導電路となる。図５の接地回路２２では、このような構成により、制御信号ＣＳに従って接地用導電路の長さが変化し、接地用導電路のシールド線２１２ａ側の一端でのインピーダンスが零になる周波数が変化する。
【００４８】
接地回路２２を図５のように構成する場合には、第１の構成例と同様に、地上デジタルテレビ放送で利用されている周波数帯域を２つの部分帯域に分割する。例えば、４７０ＭＨｚ以上６２０ＭＨｚ未満の低域部分帯域と、６２０ＭＨｚ以上７７０ＭＨｚ以下の高域部分帯域とに分割する。そして、導体２２０ｃだけで接地用導電路が構成された場合において、導体２２０ｃのシールド線２１２ａ側の一方端のインピーダンスが高域部分帯域において小さくなるように、導体２２０ｃの長さＬ１ｃを設定する。具体的には、第１の構成例の長さＬ１ａと同様に、長さＬ１ｃを１０ｃｍ以上１２ｃｍ以下に設定する。
【００４９】
また、導体２２０ｃ，２２１ｃが接続された場合において、導体２２０ｃのシールド線２１２ａ側の一端のインピーダンスが低域部分帯域において小さくなるように、導体２２０ｃのシールド線２１２ａ側の一端から導体２２１ｃの開放端までの導電路の長さＬ２ｃを設定する。具体的には、第１の構成例の長さＬ２ａと同様に、長さＬ２ｃを１２ｃｍよりも大きく１６ｃｍ以下に設定する。
【００５０】
このように、第３の構成例に係る接地回路２２では、シールド線２１２ａの端部２１２ａａに直列接続する導体の数が“１”の場合には接地用導電路が短くなって、接地用導電路のシールド線２１２ａ側の一端でのインピーダンスは高い周波数で零となり、“２”の場合には接地用導電路が長くなって、接地用導電路のシールド線２１２ａ側の一端でのインピーダンスは低い周波数で零となる。
【００５１】
以上のような構成を有する接地回路２２の動作を制御回路２３が制御する場合には、第１の構成例と同様に、制御回路２３は、受信チャネル情報ＣＩによって特定される受信チャネルの周波数帯域が、低域部分帯域及び高域部分帯域のどちらの部分帯域に属するかを判定する。そして、制御回路２３は、受信チャネルの周波数帯域が低域部分帯域に属する場合には、接地回路２２のスイッチ回路２２２ｃがオン状態となるような制御信号ＣＳを生成して出力し、受信チャネルの周波数帯域が高域部分帯域に属する場合には、スイッチ回路２２２ｃがオフ状態となるような制御信号ＣＳを生成して出力する。これにより、接地回路２２では、受信チャネルに応じて接地用導電路の長さが変化し、その結果、接地用導電路のシールド線２１２ａ側の一端のインピーダンスが理論的に零になる周波数が受信チャネルに応じて変化する。よって、全チャネルにわたってシールド線２１２ａの端部２１２ａａを適切に接地することができ、地上デジタルテレビ放送に対する受信性能が向上する。
【００５２】
＜接地回路の第４の構成例＞
図６は接地回路２２の第４の構成例を示す図である。第４の構成例に係る接地回路２２では、第２の構成例と同様に、接地用導電路の長さを３種類の間で変化させることができる。
【００５３】
図６に示されるように、第４の構成例に係る接地回路２２は、３本の導体２２０ｄ，２２１ｄ，２２２ｄと、２つのスイッチ回路２２３ｄ，２２４ｄとを備えている。導体２２０ｄ，２２１ｄ，２２２ｄのそれぞれは、例えば銅線で構成されている。導体２２０ｄでは、一方端がシールド線２１２ａの端部２１２ａａに接続されており、他方端がスイッチ回路２２３ｄの一方端に接続されている。導体２２０ｄは、同軸ケーブル２１の外部導体２１２のアンテナ２０側の端部を縒って得られる細長い導体部分だけで構成しても良いし、当該細長い導体部分に別の導体を接続して構成しても良いし、外部導体２１２とは別の導体だけで構成しても良い。導体２２１ｄでは、一方端がスイッチ回路２２３ｄの他方端に接続されており、他方端がスイッチ回路２２４ｄの一方端に接続されている。導体２２２ｄでは、一方端がスイッチ回路２２４ｄの他方端に接続されており、他方端が開放端となっている。
【００５４】
スイッチ回路２２３ｄは、制御回路２３からの制御信号ＣＳに含まれる第１制御信号ＣＳ１に従ってオン状態及びオフ状態を切り替えて、導体２２０ｄの他方端と導体２２１ｄの一方端との接続及び未接続を切り替える。スイッチ回路２２４ｄは、制御回路２３からの制御信号ＣＳに含まれる第２制御信号ＣＳ２に従ってオン状態及びオフ状態を切り替えて、導体２２１ｄの他方端と導体２２２ｄの一方端との接続及び未接続を切り替える。
【００５５】
少なくともスイッチ回路２２３ｄがオフ状態で、導体２２０ｄだけがシールド線２１２ａの端部２１２ａａに接続されている場合には、当該導体２２０ｄが接地用導電路となる。また、スイッチ回路２２３ｄ，２２４ｄがそれぞれオン状態及びオフ状態で、２本の導体２２０ｄ，２２１ｄがシールド線２１２ａの端部２１２ａａに直列接続されている場合には、導体２２０ｄの一方端から導体２２１ｄの他方端までの導電路が接地用導電路となる。そして、スイッチ回路２２３ｄ，２２４ｄがともにオン状態で、３本の導体２２０ｄ，２２１ｄ，２２２ｄがシールド線２１２ａの端部２１２ａａに直列接続されている場合には、導体２２０ｄの一方端から導体２２２ｄの開放端までの導電路が接地用導電路となる。
【００５６】
図６の接地回路２２では、このような構成により、制御信号ＣＳに従って接地用導電路の長さが変化し、接地用導電路のシールド線２１２ａ側の一端でのインピーダンスが零になる周波数が変化する。
【００５７】
接地回路２２を図６のように構成する場合には、第２の構成例と同様に、地上デジタルテレビ放送で利用されている周波数帯域を３つの部分帯域に分割する。例えば、４７０ＭＨｚ以上５７０ＭＨｚ未満の低域部分帯域と、５７０ＭＨｚ以上６７０ＭＨｚ未満の中域部分帯域と、６７０ＭＨｚ以上７７０ＭＨｚ以下の高域部分帯域とに分割する。そして、導体２２０ｄだけで接地用導電路が構成された場合において、導体２２０ｄのシールド線２１２ａ側の一端でのインピーダンスが高域部分帯域において小さくなるように、導体２２０ｄの長さＬ１ｄを設定する。具体的には、長さＬ１ｄを１０ｃｍ以上１１ｃｍ以下に設定する。
【００５８】
また、２本の導体２２０ｄ，２２１ｄがシールド線２１２ａに直列接続された場合において、導体２２０ｄのシールド線２１２ａ側の一端のインピーダンスが中域部分帯域において小さくなるように、導体２２０ｄのシールド線２１２ａ側の一端から導体２２１ｄのスイッチ回路２２４ｄ側の一端までの導電路の長さＬ２ｄを設定する。具体的には、長さＬ２ｄを、１１ｃｍよりも大きく１３ｃｍ以下に設定する。
【００５９】
そして、３本の導体２２０ｄ，２２１ｄ，２２２ｄがシールド線２１２ａに直列接続された場合において、導体２２０ｄのシールド線２１２ａ側の一端のインピーダンスが低域部分帯域において小さくなるように、導体２２０ｄのシールド線２１２ａ側の一端から導体２２２ｄの開放端までの導電路の長さＬ３ｄを設定する。具体的には、長さＬ３ｄを、１３ｃｍよりも大きく１６ｃｍ以下に設定する。
【００６０】
以上のような構成を有する接地回路２２の動作を制御回路２３が制御する場合には、制御回路２３は、受信チャネル情報ＣＩによって特定される受信チャネルの周波数帯域が、低域部分帯域、中域部分帯域及び高域部分帯域のどの部分帯域に属するかを判定する。そして、制御回路２３は、受信チャネルの周波数帯域が低域部分帯域に属する場合には、接地回路２２のスイッチ回路２２３ｄ，２２４ｄがともにオン状態となるような第１制御信号ＣＳ１及び第２制御信号ＣＳ２を生成して出力し、受信チャネルの周波数帯域が中域部分帯域に属する場合には、スイッチ回路２２３ｄだけがオン状態となるような第１制御信号ＣＳ１及び第２制御信号ＣＳ２を生成して出力し、受信チャネルの周波数帯域が高域部分帯域に属する場合には、少なくともスイッチ回路２２３ｄがオフ状態となるような第１制御信号ＣＳ１及び第２制御信号ＣＳ２を生成して出力する。これにより、接地回路２２では、受信チャネルに応じて接地用導電路の長さが変化し、その結果、接地用導電路のシールド線２１２ａ側の一端のインピーダンスが理論的に零になる周波数が受信チャネルに応じて変化する。よって、全チャネルにわたってシールド線２１２ａの端部２１２ａａを適切に接地することができ、地上デジタルテレビ放送に対する受信性能が向上する。
【００６１】
以上のように、本実施の形態では、同軸ケーブル２１におけるシールド線２１２ａのアンテナ２０側の端部２１２ａａに一方端が接続され、他方端が開放端である接地用導電路の長さが受信チャネルに応じて変化するため、シールド線２１２ａのアンテナ２０側の端部２１２ａａでのインピーダンスを受信チャネルに応じて十分に小さくすることができる。したがって、地上デジタルテレビ放送の全チャネルにわたってシールド線２１２ａのアンテナ２０側の端部２１２ａａを適切に接地することができる。よって、地上デジタルテレビ放送で利用される広い周波数帯域の全領域において放送信号に対する受信性能を向上することができる。
【００６２】
さらに、本実施の形態では、開放端を有する接地用導電路によってシールド線２１２ａを高周波的に接地することができるため、シールド線２１２ａを車体の金属部分に接続して高周波的に接地する必要が無い。したがって、接地回路２２の配置の自由度が向上し、アンテナ２０に近い場所に接地回路２２を配置することができる。よって、アンテナ２０に近い場所でシールド線２１２ａの端部２１２ａａを接地することができ、受信性能がさらに向上する。
【００６３】
なお、実施の形態では、接地回路２２及び制御回路２３を同一のケース内に収納していたが、別々のケース内に収納し、接地回路２２だけをアンテナ２０の近傍に配置しても良い。
【図面の簡単な説明】
【００６４】
【図１】本発明の実施の形態に係る受信機の構成を示す図である。
【図２】本発明の実施の形態に係る同軸ケーブルの断面構造を示す図である。
【図３】本発明の実施の形態に係る接地回路の第１の構成例を示す図である。
【図４】本発明の実施の形態に係る接地回路の第２の構成例を示す図である。
【図５】本発明の実施の形態に係る接地回路の第３の構成例を示す図である。
【図６】本発明の実施の形態に係る接地回路の第４の構成例を示す図である。
【符号の説明】
【００６５】
１  受信機
２  アンテナ装置
４  受信回路
２０  アンテナ
２１  同軸ケーブル
２２  接地回路
２３  制御回路
２１０  中心導体
２１２ａ  シールド線
２１２ａａ  端部
２２０ａ，２２０ｂ  第１導体
２２１ａ，２２１ｂ，２２２ａ，２２２ｂ，２２３ｂ  第２導体
２２０ｃ，２２０ｄ，２２１ｃ，２２１ｄ，２２２ｄ  導体
【図１】
2010087756.tif 000003
【図２】
2010087756.tif 000004
【図３】
2010087756.tif 000005
【図４】
2010087756.tif 000006
【図５】
2010087756.tif 000007
【図６】
2010087756.tif 000008